(57)【特許請求の範囲】
【請求項１】
容器の開口縁部にフランジを支持されて、着脱自在に架装される詰め替え用除湿剤において、
非透湿性を有する基材の下面側に透湿膜を配置し、この基材と透湿膜とを貼着してなる重畳体を形成する一方、袋体内に除湿薬剤を収容し、この袋体の開口周縁部を前記透湿膜側にて前記重畳体の周部であって周縁よりも内側に貼着し、前記基材には、前記透湿膜との貼着部よりも内側に環状の切取線を形成して、該切取線により囲繞された部分からなる除去部を設けるとともに、前記切取線の外側に前記除去部の除去に伴って前記重畳体の残存した部分からなる前記フランジが形成されることを特徴とする詰め替え用除湿剤。
【請求項２】
前記基材は、厚紙と該厚紙の下面側に一体的に積層された防湿性を有する下面層とからなることを特徴とする請求項１記載の詰め替え用除湿剤。
【請求項３】
前記下面層は、前記基材の下面に順次積層された防湿層とシール層及び接着剤層とからなることを特徴とする請求項２記載の詰め替え用除湿剤。
【請求項４】
前記基材の周縁まで前記切取線を延設して、前記除去部の周部に摘持片を連設したことを特徴とする請求項１記載の詰め替え用除湿剤。
【請求項５】
前記重畳体には、前記透湿膜の周部であって下面側に接着剤を塗布したことを特徴とする請求項１記載の詰め替え用除湿剤。
【請求項６】
前記袋体の底部に複数の小孔を形成したことを特徴とする請求項１から５にいずれか記載の詰め替え用除湿剤。
【請求項７】
前記袋体を、非透水性を有する外袋と該外袋の内側に配置された透水性を有する内袋とで構成し、該内袋内に前記除湿薬剤を収容したことを特徴とする請求項１から５にいずれか記載の詰め替え用除湿剤。
【発明の詳細な説明】
【０００１】
【発明の属する技術分野】
本発明は、詰め替え用除湿剤に関する。
【０００２】
【従来の技術】
従来の除湿器としては、図１６に示したものが実用されている。すなわち容器５０は、内部を透視可能な半透明のプラスチックによって上部開口状に成形されている。容器５０の開口縁部には水平方向に突出する突縁５１が設けられるとともに、内周壁には底部から中程部まで立ち上がる複数のリブ５２・・・が設けられている。容器５０の内部には、複数のスリット５６・・・を有する仕切板５３が収容配置されており、該仕切板５３は前記リブ５２の上端部にて支持されている。これにより容器５０の内部には、仕切板５３より下方の貯溜部５４と上方の薬剤収容部５５とが画成されている。薬剤収容部５５内には、塩化カルシウム、塩化マグネシウム等の潮解性組成物からなる粒状の除湿薬剤５８が収容されており、薬剤収容部５５の上部は、前記突縁５１に周部が熱溶着された透湿膜５９によって閉鎖されている。該透湿膜５９の上面には、アルミ箔６１が剥離可能に貼着されており、該アルミ箔６１上には、周部を前記突縁５１の端面に圧接して係止された複数の窓６２を有するキヤップ６０が配置されている。
【０００３】
しかして、使用開始前においては、アルミ箔６１により透湿膜５９が被覆されて、吸湿剤５８の外気との接触は遮断されている。そして、アルミ箔６１を剥離除去してキヤップ６０を嵌装した後、押し入れ等の適宜配置箇所に設置すると、水分を含む空気が窓部６２及び透湿膜５９を透過して薬剤収容部５５へ自在に侵入し、薬剤収容部５５内の除湿薬剤５８により空気中の水分は吸収される。これにより、配置箇所周囲の除湿がなされるとともに、水分の吸収に伴って吸湿剤５８に生ずる潮解液は、仕切板５３のスリット５６から貯溜部５４に滴下して貯溜する。
【０００４】
また、かかる除湿器を製造するに際しては、図１７に示すように、閉ループ状のライン６３にて前記仕切板５３と除湿薬剤５８とを収容した容器５０を所定方向（矢印方向）に搬送する。このとき、ライン６３は閉ループ状であって、半径Ｒからなる円曲部６４を有していることから、容器５０を近接して移送すると、この円曲部６４を通過する際に、隣接する容器５０同士が干渉して、搬送が不可能となる。このため、各容器５０間には間隔Ｄが設定されており、この間隔Ｄをもって容器５０が搬送される。
【０００５】
そして、透湿膜工程Ａでは、長尺状の透湿膜５９をテンションをかけた状態で複数個の容器５０の突縁５１に貼着し、アルミ箔工程Ａでは、同様に長尺状のアルミ箔６１をテンションをかけた状態で複数個の容器５０の透湿膜５９上に貼着する。しかる後に、図示しないトリミング工程では、透湿膜５９とアルミ箔６１とを、前記突縁５１の周部にて裁断し、キャップ工程にてキヤップ６０を嵌着することにより製品を完成させる。
【０００６】
【発明が解決しようとする課題】
しかしながら、このような従来の除湿器の製造方法にあっては、前述のように長尺状の透湿膜５９をテンションをかけた状態で複数個の容器５０の突縁５１に貼着し、しかる後にトリミング工程で不要部分を裁断して除去する。したがって、図１８（ａ）に示すように、長尺状の透湿膜５９は、容器５０の開口部に対応する部分のみが使用部分Ｓとなり、残る部分は不使用部分Ｆとなる。このとき、前述にように、各容器５０間には間隔Ｄに設定されていることから、使用部分Ｓは間隔Ｄをもって形成されることとなり、その結果相対的に不使用部分Ｆが多くなる。また、アルミ箔６１に関しても同様であって、使用部分Ｓは間隔Ｄをもって形成されることとなり、その結果相対的に不使用部分Ｆが多くなる。このため、トリミング工程を終了した透湿膜５９及びアルミ箔６１の廃棄量が多くなり、産業廃棄物を増大させる一因となるとともに、特に透湿膜５９は高価であることから、製造コストが増大する一因ともなる。
【０００７】
また、この除湿器にあっては除湿薬剤５８を直接容器５０内に収容する構成であることから、使用に伴って除湿薬剤５６が飽和状態となり、除湿能力が無くなった際には、容器５０ごと廃棄して、新たな除湿器と交換する必要がある。このため、一家庭から出されるプラスチック製品からなる廃棄物を増やす一因ともなっており、近年の廃棄物問題及び環境問題の解決に逆行する事態となっている。
本発明は、このような実情に鑑みてなされたものであり、製造過程で生ずる産業廃棄物及び使用に際して生ずる一般廃棄物の量を減少させることのできる詰め替え用除湿剤を提供することを目的とするものである。
【０００８】
【課題を解決するための手段】
前記課題を解決するために本発明にかかる詰め替え用除湿剤にあっては、容器の開口縁部にフランジを支持されて、着脱自在に架装される詰め替え用除湿剤において、非透湿性を有する基材の下面側に透湿膜を配置し、この基材と透湿膜とを貼着してなる重畳体を形成する一方、袋体内に除湿薬剤を収容し、この袋体の開口周縁部を前記透湿膜側にて前記重畳体の周部であって周縁よりも内側に貼着し、前記基材には、前記透湿膜との貼着部よりも内側に環状の切取線を形成して、該切取線により囲繞された部分からなる除去部を設けるとともに、前記切取線の外側に前記除去部の除去に伴って前記重畳体の残存した部分からなる前記フランジが形成されることを特徴とする。
かかる構成において、使用に際して切取線にて除去部を取り去ると、開口が形成されて透湿膜が露呈するとともに、該開口の周囲に残存した部分からなるフランジが形成される。したがって、該フランジを所定の容器あるいは適宜の容器の開口縁部に支持させることにより、詰め替え用除湿剤を架装することができる。
【００１７】
【発明の実施の形態】
以下、本発明の一実施の形態を図に従って説明する。図１は、本発明の第１の実施の形態を示すものであり、詰め替え用除湿剤１は、重畳体２と袋体３、及び除湿薬剤４とで構成されている。重畳体２は、図示したような形状に裁断された所要の面積を有する部材であり、図２に示すように、基材５と該基材５の下面側に配置された透湿膜６とで構成されている。基材５は、厚紙７と該厚紙７の下面側に形成された下面層８とからなり、該下面層８は、ＰＥＴからなる防湿層９、ＰＥからなるシール層１０、及びホットメルトからなる接着剤層１１を順次積層して構成されている。重畳体２には、の周縁２ａから一定の間隔を有した位置、例えば２ｃｍ程度内側に環状の切取線１２が形成されており、これにより重畳体２には切取線１２により囲繞された部分からなる除去部１３が設けられている。
また、前記透湿膜６は、液体を透過させることなく空気及び空気中の水分を透過させる性質を有する膜体（商品名：セルポア）であって、前記切取線１２よりも外側の周部にて、前記接着剤層１１に接着されている。
【００１８】
一方、袋体３は上部開放状であってＰＥ等のフィルムからなり、その開口周縁部３ａは、前記重畳体２の周縁２ａと切取線１２との間にて、透湿膜６に接着されている。この袋体３の底部には、内部に収容された前記除湿薬剤４よりも小径の孔１４が形成されており、除湿薬剤４は、塩化カルシウム、塩化マグネシウム等の粒状の潮解性組成物からなる。
【００１９】
なお、重畳体２は、使用に伴って吸湿した除湿薬剤４を内部に有する袋体３を支持できる剛性を具備することが必要であり、例えば除湿薬剤４を１８０ｇとした場合、厚紙７は目付約８０ｇ／ｃｍ以上であることが好ましい。
【００２０】
以上の構成にかかる本実施の形態において、この詰め替え用除湿剤１を製造するに際しては、切取線１２が形成された基材５に前述のように透湿膜６の周部を接着することにより、予め重畳体２を製造しておく。この重畳体２を製造するに際しては、図１８（ｂ）に示すように、長尺状の基材５と透湿膜６とを所定形状に裁断して両者を接着し、あるいは予め両者を接着しておいて所定形状に裁断する。このとき、同図（ｂ）に示すように、重畳体２として使用される使用部分Ｓの裁断は、何ら制約なく隣接する使用部分Ｓを近接させて裁断を行うことができ、その結果、同図（ａ）に示した従来と比較して、不使用部分Ｆを相対的に減少させることができる。これにより、基材５及び透湿膜６の廃棄量を最小限にして、産業廃棄物を減少させることが可能となるとともに、高価な透湿膜６の歩留まりを向上させて、製造コストの低下を図ることも可能となる。
【００２１】
一方、袋体３は図３に示すように、閉ループ状のライン６３の各治具セットして所定方向（矢印方向）に搬送し、上流側の所定箇所Ｐ１で除湿薬剤４を投入した後、下流側の所定箇所Ｐ２で、予め製造してある重畳体２を接着させる。このとき、開口周縁部３ａと重畳体２との貼着部である接着ラインＬ（図１参照）は、切取線１２と重畳体２の周縁２ａとの間の一定位置である必要はなく、この間であれば如何なる位置であってもよく、接着ラインＬが蛇行していてもよい。したがって、重畳体２と袋体３とを接合する際、その接合位置及び接合作業に精度が要求されることがなく、その結果単位時間当たり製造個数を増大させることができる。
【００２２】
また、この詰め替え用除湿剤１を使用するに際しては、図４に示す除湿剤容器１５を用いる。この除湿剤容器１５は、容器１６とキャップ１７で構成されている。容器１６は上部開放状であってプラスチックで成形され、上縁部には水平方向に突出する突縁１８が形成されている。また、キャップ１７もプラスチック製であって、複数の窓１９が形成されている。
【００２３】
そして、ユーザーがこの詰め替え用除湿剤１を購入後、これを使用するに際しては、切取線１２を破断して後除去部１３を取り去る。すると、除去部１３において、厚紙７とともに下面層８も一体的に除去される。これにより、図４に示すように、重畳体２には、除去部１３と取り去った後の空間からなる開口２０が形成されるとともに、周囲には残存した部分からなるフランジ２１が形成される。したがって、該フランジ２１を容器１６の突縁１８上に載置した後、キャップ１７を嵌合すると、図５に示すように、フランジ２１が突縁１８により支持されるとともに、突縁１８とキヤップ１７間に挾持されて、詰め替え用除湿剤１が容器１６の内部に架装される。
【００２４】
そして、このように容器１６内に架装した詰め替え用除湿剤１を適宜の箇所に配置すると、キャップ１７の窓１９、開口２０及び透湿膜６を介して空気が袋体３内に侵入して除湿薬剤４が空気中の水分を吸収し、これにより周囲空間は除湿される。また、袋体３内に生じた、除湿薬剤４の吸湿に伴う潮解液は、前記孔１４を通過して容器１６内に滴下する。よって、袋体３内に潮解液が滞留することがなく、除湿薬剤４の除湿能力を長期に亙って確保することができる。
【００２５】
また、袋体３内の除湿薬剤４が飽和状態となって除湿能力が無くなった場合には、キャップ１７を取り外して、詰め替え用除湿剤１及び容器１６内の潮解液とを廃棄した後、新たな詰め替え用除湿剤１を前述と同様にして除湿剤容器１５にセットする。つまり、使用済みの詰め替え用除湿剤１と潮解液のみを廃棄して、共にプラスチック製である容器１６とキャップ１７とからなる除湿剤容器１５は廃棄することなく繰り返し使用する。これにより、家庭から発生する一般廃棄物の量を低減させることができるとともに、プラスチックからなる廃棄物を減少させて、環境への影響を緩和することも可能となる。
【００２６】
図６は、本発明の第２の実施の形態を示すものであり、切取線１２の両端部を重畳体２の周縁２ａまで形成し、これにより除去部１３の端部に摘持片２２を一体的に形成したものである。かかる構成によれば、摘持片２２を摘まんで引き上げることにより、除去部１３を容易に取り除くことができる。
【００２７】
図７，８は、本発明の第３の実施の形態を示すものであり、透湿膜６には、袋体３との接着部位よりも外側の周縁部下面に接着剤２３が塗布されている。したがって、この詰め替え用除湿剤１を使用するに際しては、除去部１３を取り去った後、図８に示すように、接着剤２３にて容器１６の突縁１８に接着することにより、詰め替え用除湿剤１を容器１６に固着して架装することができる。なお、接着剤２３を不乾性とするとともに、この不乾性の接着剤２３に剥離紙を貼着させておけば、剥離紙を取り除くのみにより、容易詰め替え用除湿剤１を容器１６に接着して装填することができる。
【００２８】
図９は、本発明の第４の実施の形態を示すものであり、前記除湿剤容器１５のキャップ１７には、下面周部に断面略三角形状の凸条２４が複数形成されている。かかる実施の形態において、キャップ１７を嵌合すると、突縁２４と凸条２４との間で詰め替え用除湿剤１のフランジ２１が挟圧されるとともに、凸条２４が厚紙７に食い込む。よって、潮解に伴って袋体３内の除湿薬剤４の重量が増大しても、支障なく詰め替え用除湿剤１の架装状態を維持することができる。
【００２９】
図１０は、本発明の第５の実施の形態を示すものであり、重畳体２は、基材５と支持体２５及び透湿膜６で構成されている。すなわち、基材５の接着剤層１１には、支持体２５が貼着されており、該支持体２５の下面側に透湿膜６の周部が貼着され、該透湿膜６の下面周部に袋体３開口周縁部３ａが貼着されている。支持体２５は、前記切取線１２に沿った開口部を有するリング状であって、プラスチックあるいは厚紙により形成されている。
【００３０】
かかる実施の形態において、この詰め替え用除湿剤１を購入後、使用するに際して、切取線１２を破断した後除去部１３を取り去ると、重畳体２の周囲にフランジ２１が形成される。該フランジ２１にあっては、基材５と支持体２５とが積層された構成であることから剛性が高く、よってこのフランジ２１を前記容器１６の突縁１８に載置することにより、確実に詰め替え用除湿剤１を容器１６内に架装支持することができる。
【００３１】
図１１は、本発明の第６の実施の形態を示すものであり、重畳体２は、前記切取線１２が形成されていない基材５と支持体２５及び透湿膜６で構成されている。すなわち、基材５の接着剤層１１には、支持体２５が剥離可能に貼着されており、該支持体２５の下面側に透湿膜６の周部が貼着され、該透湿膜６の下面周部に袋体３開口周縁部３ａが貼着されている。支持体２５は、前記切取線１２に沿った開口部を有するリング状であって、プラスチックあるいは厚紙により形成されている。
【００３２】
かかる実施の形態において、この詰め替え用除湿剤１を購入後、使用するに際して、鎖線で示したように基材５を剥離して取り去ると、残存した環状の支持体２５からなるフランジ２１が形成される。よって、この支持体２５からなるフランジ２１を前記容器１６の突縁１８に載置することにより、確実に詰め替え用除湿剤１を容器１６内に架装支持することができる。かかる実施の形態によれば、切取線１２を形成する必要がなく、製造工程の簡略化を図ることができる。
【００３３】
図１２は、本発明の第７の実施の形態を示すものであり、重畳体２は、前述の第４の実施の形態と同様に、基材５と支持体２５及び透湿膜６で構成されている。すなわち、基材５の接着剤層１１には、支持体２５が貼着されており、該支持体２５の下面側に透湿膜６の周部が貼着され、該透湿膜６の下面周部に袋体３開口周縁部３ａが貼着されている。支持体２５は、基材５及び透湿膜６と同一形状であって、プラスチックあるいは厚紙により形成されており、また前記切取線１２は支持体２５まで達している。
【００３４】
かかる実施の形態において、この詰め替え用除湿剤１を購入後、使用するに際して、切取線１２を破断した後除去部１３を取り去ると、該除去部１３を構成する部分の基材５と支持体２５とが除去され、重畳体２の周囲にフランジ２１が形成される。該フランジ２１にあっては、前述の第５の実施の形態と同様に、基材５と支持体２５とが積層された構成であることから剛性が高く、よってこのフランジ２１を前記容器１６の突縁１８に載置した際に、確実に詰め替え用除湿剤１を容器１６内に架装支持することができる。
【００３５】
図１３は、本発明の第８の実施の形態を示すものであり、重畳体２は、共に同一形状である非透湿膜としてのアルミ箔２６と、該アルミ箔２６の下面が剥離可能に貼着された支持体２７、及び該支持体２７の下面に貼着された透湿膜６とで構成されている。支持体２７は、プラスチックあるいは厚紙製であって、複数の窓２８が形成されている。
【００３６】
かかる実施の形態において、この詰め替え用除湿剤１を購入後、使用するに際して、アルミ箔２６を取り去ると、支持体２７の各窓２８が開放され、除湿可能な状態になる。また、この実施の形態においても、アルミ箔２６と支持体２７及び透湿膜６とからなる重畳体２を予め製造しておいて、除湿薬剤４が収納された袋体３の開口周縁部３ａと接合することにより、アルミ箔２６、支持体２７及び透湿膜６の歩留まりを向上させることができる。
【００３７】
図１４は、本発明の第９の実施の形態を示すものであり、重畳体２は図６に示した実施の形態と同様であるが、袋体３は、ＰＥ等のフィルムからなる外袋２９と、該外袋２９の内側に設けられた内袋３０とを一体的に有し、該両袋２９，３０の開口周縁部は、前記重畳体２の周縁２ａと切取線１２との間にて、前記透湿膜３８に接着されている。また、内袋３０の底部には、複数の孔１４が形成されており、内部に除湿薬剤４が収容されている。したがって、この実施の形態においては、内袋３０内に生じた除湿薬剤４の吸湿に伴う潮解液は、孔１４を通過して外袋２９内に滴下する。よって、前記容器１５を用いることなく、筒状のスタンド等にこの詰め替え用除湿剤１をセットすることによっても除湿を行うことができる。
【００３８】
図１５は、本発明の第１０の実施の形態を示すものであり、重畳体２は図６に示した実施の形態と同様であるが、袋体３は前記孔１４が形成されていない無孔状である。したがって、この実施の形態においては、袋体３内に生じた除湿薬剤４の吸湿に伴う潮解液は、そのまま袋体３内に貯留する。よって、同様に容器１５を用いることなく、筒状のスタンド等にこの詰め替え用除湿剤１をセットすることによっても除湿を行うことができる。しかも袋体３の構成は図１４に示したものより簡単であり、一層の低コスト化が可能となる。
【００３９】
なお、第２〜第１０の実施の形態においても、第１の実施の形態と同様に、重畳体２を予め製造するとともに、図３に示した閉ループ状のライン６３の各治具に袋体３をセットして所定方向（矢印方向）に搬送し、上流側の所定箇所Ｐ１で除湿薬剤４を収容した後、下流側の所定箇所Ｐ２で、袋体３の開口周縁部３ａと重畳体２との接着を行う。かかる製造方法を用いることにより、第１の実施の形態と同様に、基材５や透湿膜６あるいはアルミ箔２６の歩留まりを向上させることができる。また、各実施の形態においては、厚紙７から、防湿層９、シール層１０、接着剤層１１まで切取線１２が及ぶようにしたが、厚紙７のみ切取線１２を形成し、防湿層９、シール層１０、接着剤層１１まで切取線１２を及ぼさない構成であってもよい。かかる構成によれば、使用前の非透湿性がより確実となり、商品性を害するおそれを解消することができる。
【００４０】
【発明の効果】
以上説明したように本発明は、切取線により囲繞された除去部を有する基材と透湿膜とを貼着してなる重畳体を形成し、この重畳体の周部に除湿薬剤を収容してなる袋体の開口周縁部を透湿膜側にて貼着するようにした。よって、重畳体を製造する過程で、長尺状の基材及び透湿膜を裁断するに際して、何らの制約なく隣接する使用部分を近接させて裁断を行うことができ、その結果、従来よりも、不使用部分を相対的に減少させることができる。これにより基材及び透湿膜の廃棄量を最小限にして、産業廃棄物を減少させることが可能となるとともに、高価な透湿膜の歩留まりを向上させて、製造コストの低下を図ることも可能となる。また、前記切取線の外側に前記除去部の除去に伴って前記重畳体の残存した部分からなるフランジが形成されるようにしたことから、このフランジにて容器に支持させることにより、容器を繰り返し使用することができる。よって、使用済みの詰め替え用除湿剤と潮解液のみを廃棄して、プラスチック製である除湿剤容器を廃棄することなく繰り返し使用することができ、これにより、家庭から発生する一般廃棄物の量を低減させることができるとともに、プラスチックからなる廃棄物を減少させて、環境への影響を緩和することも可能となる。
【００４１】
また、前記記基材が、厚紙と該厚紙の下面側に一体的に積層された防湿性を有する下面層とからなる構成により、低コストの重畳体を得ることができ、前記下面層が、前記基材の下面に順次積層された防湿層とシール層及び接着剤層とからなる構成により、使用前に確実な防湿状態を形成できる。また、基材の周縁まで前記切取線を延設して、除去部の周部に摘持片を連設することにより、容易に除去部を取り去ることができ、前記透湿膜の周部であって下面側に接着剤を塗布した構成により、基材の剛性が弱くても詰め替え用除湿剤の確実な支持が可能となる。
【００４２】
また、これにより製造工程の簡略化を図ることができる。
【００４３】
加えて、袋体を、非透水性を有する外袋と該外袋の内側に配置された透水性を有する内袋とで構成することにより、転倒時に除湿薬剤や潮解液が零れる不都合を防止することができる。
【図面の簡単な説明】
【図１】本発明の第１の実施の形態を示す斜視図である。
【図２】図１のａ−ａ線に沿う断面図である。
【図３】同実施の形態の詰め替え用除湿剤の製造方法を示す模式図である。
【図４】同実施の形態とこれに用いられる除湿剤容器の斜視図である。
【図５】同実施の形態の使用状態を示す図１のａ−ａ線に相当する断面図である。
【図６】本発明の第２の実施の形態を示す斜視図である。
【図７】本発明の第３の実施の形態を示す図１のａ−ａ線に相当する断面図である。
【図８】同実施の形態の使用状態を示す図１のａ−ａ線に相当する断面図である。
【図９】本発明の第４の実施の形態を示す図１のａ−ａ線に相当する断面図である。
【図１０】本発明の第５の実施の形態を示す図１のａ−ａ線に相当する断面図である。
【図１１】本発明の第６の実施の形態を示す図１のａ−ａ線に相当する断面図である。
【図１２】本発明の第７の実施の形態を示す図１のａ−ａ線に相当する断面図である。
【図１３】本発明の第８の実施の形態を示す図１のａ−ａ線に相当する断面図である。
【図１４】本発明の第９の実施の形態を示す斜視図である。
【図１５】本発明の第１０の実施の形態を示す斜視図である。
【図１６】従来の除湿器を示す断面図である。
【図１７】同実除湿器の製造方法を示す模式図である。
【図１８】（ａ）は従来方法における使用部分と不使用部分との関係を示す模式図、（ｂ）は本発明の位置実施の形態にかかる製造方法における使用部分と不使用部分との関係を示す模式図である。
【符号の説明】
１    詰め替え用除湿剤
２    重畳体
２ａ    周縁
３    袋体
３ａ    開口周縁部
４    除湿薬剤
５    基材
６    透湿膜
７    厚紙
８    下面層
９    防湿層
１０    シール層
１１    接着剤層
１２    切取線
１３    除去部
１４    孔
１５    除湿剤容器
１６    容器
１７    キャップ
１８    突縁
２２    摘持片
２３    接着剤
２６    アルミ箔
２８    窓
２９    外袋
３０    内袋
【図１】
0003743684.tif 000002
【図２】
0003743684.tif 000003
【図３】
0003743684.tif 000004
【図４】
0003743684.tif 000005
【図５】
0003743684.tif 000006
【図６】
0003743684.tif 000007
【図７】
0003743684.tif 000008
【図８】
0003743684.tif 000009
【図９】
0003743684.tif 000010
【図１０】
0003743684.tif 000011
【図１１】
0003743684.tif 000012
【図１２】
0003743684.tif 000013
【図１３】
0003743684.tif 000014
【図１４】
0003743684.tif 000015
【図１５】
0003743684.tif 000016
【図１６】
0003743684.tif 000017
【図１７】
0003743684.tif 000018
【図１８】
0003743684.tif 000019